(57)【特許請求の範囲】
【請求項１】
表示手段及び音声出力手段をそれぞれ保持してなる複数のモニタ装置により１系統の映像信号によるコンテンツを提供するコンテンツ提供方法であって、
前記映像信号により複数の表示手段を駆動する映像信号の処理ステップと、
前記映像信号に対応する音声信号を、前記モニタ装置のそれぞれの位置に応じた周波数帯域フィルタを用いて、前記モニタ装置の各系統に分類して、前記各系統の音声出力手段を駆動する音声信号の処理ステップと
を有し、
前記音声信号の処理ステップは、
前記音声信号を、声の成分を多く含む信号成分とそれ以外の信号成分とに分類して前記各系統の音声出力手段を駆動する、コンテンツ提供方法。
【請求項２】
表示手段及び音声出力手段をそれぞれ保持してなる複数のモニタ装置により１系統の映像信号によるコンテンツを提供するコンテンツ提供方法であって、
前記映像信号により複数の表示手段を駆動する映像信号の処理ステップと、
前記映像信号に対応する音声信号を、周波数の解析により、前記モニタ装置の位置に応じて、前記モニタ装置の各系統に分類して、前記各系統の音声出力手段を駆動する音声信号の処理ステップと
を有し、
前記音声信号の処理ステップは、
前記音声信号を、効果音の信号成分と効果音以外の信号成分とに分類して前記各系統の音声出力手段を駆動する、コンテンツ提供方法。
【請求項３】
表示手段及び音声出力手段をそれぞれ保持してなる複数のモニタ装置により１系統の映像信号によるコンテンツを提供するコンテンツ提供方法であって、
前記映像信号により複数の表示手段を駆動する映像信号の処理ステップと、
前記映像信号に対応する音声信号を、解析による特徴量の検出により、前記モニタ装置の位置に応じて、前記モニタ装置の各系統に分類して、前記各系統の音声出力手段を駆動する音声信号の処理ステップと
を有し、
前記音声信号の処理ステップは、
前記音声信号を、発声者に応じて分類して前記各系統の音声出力手段を駆動する、コンテンツ提供方法。
【請求項４】
演算処理手段に所定の処理手順を実行させることにより、表示手段及び音声出力手段をそれぞれ保持してなる複数のモニタ装置により１系統の映像信号によるコンテンツを提供するコンテンツ提供方法のプログラムであって、
前記処理手順は、
前記映像信号により複数の表示手段を駆動する映像信号の処理ステップと、
前記映像信号に対応する音声信号を、前記モニタ装置のそれぞれの位置に応じた周波数帯域フィルタを用いて、前記モニタ装置の各系統に分類して、前記各系統の音声出力手段を駆動する音声信号の処理ステップと
を有し、
前記音声信号の処理ステップは、
前記音声信号を、声の成分を多く含む信号成分とそれ以外の信号成分とに分類して前記各系統の音声出力手段を駆動する、コンテンツ提供方法のプログラム。
【請求項５】
演算処理手段に所定の処理手順を実行させることにより、表示手段及び音声出力手段をそれぞれ保持してなる複数のモニタ装置により１系統の映像信号によるコンテンツを提供するコンテンツ提供方法のプログラムであって、
前記処理手順は、
前記映像信号により複数の表示手段を駆動する映像信号の処理ステップと、
前記映像信号に対応する音声信号を、周波数の解析により、前記モニタ装置の位置に応じて、前記モニタ装置の各系統に分類して、前記各系統の音声出力手段を駆動する音声信号の処理ステップと
を有し、
前記音声信号の処理ステップは、
前記音声信号を、効果音の信号成分と効果音以外の信号成分とに分類して前記各系統の音声出力手段を駆動する、コンテンツ提供方法のプログラム。
【請求項６】
演算処理手段に所定の処理手順を実行させることにより、表示手段及び音声出力手段をそれぞれ保持してなる複数のモニタ装置により１系統の映像信号によるコンテンツを提供するコンテンツ提供方法のプログラムであって、
前記処理手順は、
前記映像信号により複数の表示手段を駆動する映像信号の処理ステップと、
前記映像信号に対応する音声信号を、解析による特徴量の検出により、前記モニタ装置の位置に応じて、前記モニタ装置の各系統に分類して、前記各系統の音声出力手段を駆動する音声信号の処理ステップと
を有し、
前記音声信号の処理ステップは、
前記音声信号を、発声者に応じて分類して前記各系統の音声出力手段を駆動する、コンテンツ提供方法のプログラム。
【請求項７】
演算処理手段に所定の処理手順を実行させることにより、表示手段及び音声出力手段をそれぞれ保持してなる複数のモニタ装置により１系統の映像信号によるコンテンツを提供するコンテンツ提供方法のプログラムを記録した記録媒体であって、
前記処理手順は、
前記映像信号により複数の表示手段を駆動する映像信号の処理ステップと、
前記映像信号に対応する音声信号を、前記モニタ装置のそれぞれの位置に応じた周波数帯域フィルタを用いて、前記モニタ装置の各系統に分類して、前記各系統の音声出力手段を駆動する音声信号の処理ステップと
を有し、
前記音声信号の処理ステップは、
前記音声信号を、声の成分を多く含む信号成分とそれ以外の信号成分とに分類して前記各系統の音声出力手段を駆動する、コンテンツ提供方法のプログラムを記録した記録媒体。
【請求項８】
演算処理手段に所定の処理手順を実行させることにより、表示手段及び音声出力手段をそれぞれ保持してなる複数のモニタ装置により１系統の映像信号によるコンテンツを提供するコンテンツ提供方法のプログラムを記録した記録媒体であって、
前記処理手順は、
前記映像信号により複数の表示手段を駆動する映像信号の処理ステップと、
前記映像信号に対応する音声信号を、周波数の解析により、前記モニタ装置の位置に応じて、前記モニタ装置の各系統に分類して、前記各系統の音声出力手段を駆動する音声信号の処理ステップと
を有し、
前記音声信号の処理ステップは、
前記音声信号を、効果音の信号成分と効果音以外の信号成分とに分類して前記各系統の音声出力手段を駆動する、コンテンツ提供方法のプログラムを記録した記録媒体。
【請求項９】
演算処理手段に所定の処理手順を実行させることにより、表示手段及び音声出力手段をそれぞれ保持してなる複数のモニタ装置により１系統の映像信号によるコンテンツを提供するコンテンツ提供方法のプログラムを記録した記録媒体であって、
前記処理手順は、
前記映像信号により複数の表示手段を駆動する映像信号の処理ステップと、
前記映像信号に対応する音声信号を、解析による特徴量の検出により、前記モニタ装置の位置に応じて、前記モニタ装置の各系統に分類して、前記各系統の音声出力手段を駆動する音声信号の処理ステップと
を有し、
前記音声信号の処理ステップは、
前記音声信号を、発声者に応じて分類して前記各系統の音声出力手段を駆動する、コンテンツ提供方法のプログラムを記録した記録媒体。
【請求項１０】
表示手段及び音声出力手段をそれぞれ保持してなる複数のモニタ装置により１系統の映像信号によるコンテンツを提供するコンテンツ提供装置であって、
前記映像信号により複数の表示手段を駆動する映像信号処理手段と、
前記映像信号に対応する音声信号を、前記モニタ装置のそれぞれの位置に応じた周波数帯域フィルタを用いて、前記モニタ装置の各系統に分類して、前記各系統の音声出力手段を駆動する音声信号処理手段と
を備え、
前記音声信号処理手段は、
前記音声信号を、声の成分を多く含む信号成分とそれ以外の信号成分とに分類して前記各系統の音声出力手段を駆動する、コンテンツ提供装置。
【請求項１１】
表示手段及び音声出力手段をそれぞれ保持してなる複数のモニタ装置により１系統の映像信号によるコンテンツを提供するコンテンツ提供装置であって、
前記映像信号により複数の表示手段を駆動する映像信号処理手段と、
前記映像信号に対応する音声信号を、周波数の解析により、前記モニタ装置の位置に応じて、前記モニタ装置の各系統に分類して、前記各系統の音声出力手段を駆動する音声信号処理手段と
を備え、
前記音声信号処理手段は、
前記音声信号を、効果音の信号成分と効果音以外の信号成分とに分類して前記各系統の音声出力手段を駆動する、コンテンツ提供装置。
【請求項１２】
表示手段及び音声出力手段をそれぞれ保持してなる複数のモニタ装置により１系統の映像信号によるコンテンツを提供するコンテンツ提供装置であって、
前記映像信号により複数の表示手段を駆動する映像信号処理手段と、
前記映像信号に対応する音声信号を、解析による特徴量の検出により、前記モニタ装置の位置に応じて、前記モニタ装置の各系統に分類して、前記各系統の音声出力手段を駆動する音声信号処理手段と
を備え、
前記音声信号処理手段は、
前記音声信号を、発声者に応じて分類して前記各系統の音声出力手段を駆動する、コンテンツ提供装置。
【請求項１３】
表示手段及び音声出力手段をそれぞれ保持してなる複数のモニタ装置に設けられて、前記複数のモニタ装置に共通に入力される１系統の映像信号によるコンテンツを提供するコンテンツ提供装置であって、
前記映像信号のうちで自装置に割り当てられてなる映像信号により担当の表示手段を駆動する映像信号処理手段と、
前記映像信号に対応する音声信号を、前記モニタ装置のそれぞれの位置に応じた周波数帯域フィルタを用いて、前記モニタ装置の各系統に分類して、自装置に分類された音声信号により担当の前記音声出力手段を駆動する音声信号処理手段と
を備え、
前記音声信号処理手段は、
前記音声信号を、声の成分を多く含む信号成分とそれ以外の信号成分とに分類して前記各系統の音声出力手段を駆動する、コンテンツ提供装置。
【請求項１４】
表示手段及び音声出力手段をそれぞれ保持してなる複数のモニタ装置に設けられて、前記複数のモニタ装置に共通に入力される１系統の映像信号によるコンテンツを提供するコンテンツ提供装置であって、
前記映像信号のうちで自装置に割り当てられてなる映像信号により担当の表示手段を駆動する映像信号処理手段と、
前記映像信号に対応する音声信号を、周波数の解析により、前記モニタ装置の位置に応じて、前記モニタ装置の各系統に分類して、自装置に分類された音声信号により担当の前記音声出力手段を駆動する音声信号処理手段と
を備え、
前記音声信号処理手段は、
前記音声信号を、効果音の信号成分と効果音以外の信号成分とに分類して前記各系統の音声出力手段を駆動する、コンテンツ提供装置。
【請求項１５】
表示手段及び音声出力手段をそれぞれ保持してなる複数のモニタ装置に設けられて、前記複数のモニタ装置に共通に入力される１系統の映像信号によるコンテンツを提供するコンテンツ提供装置であって、
前記映像信号のうちで自装置に割り当てられてなる映像信号により担当の表示手段を駆動する映像信号処理手段と、
前記映像信号に対応する音声信号を、解析による特徴量の検出により、前記モニタ装置の位置に応じて、前記モニタ装置の各系統に分類して、自装置に分類された音声信号により担当の前記音声出力手段を駆動する音声信号処理手段と
を備え、
前記音声信号処理手段は、
前記音声信号を、発声者に応じて分類して前記各系統の音声出力手段を駆動する、コンテンツ提供装置。
【請求項１６】
表示手段及び音声出力手段を有してなる複数系統のモニタ装置により１系統の映像信号によるコンテンツを提供するコンテンツ提供システムに適用されて、前記モニタ装置にそれぞれ対応して設けられた演算処理手段に所定の処理手順を実行させることにより、担当の前記表示手段に前記映像信号による映像を表示するコンテンツ提供方法のプログラムであって、
前記処理手順は、
前記映像信号のうちで自装置に割り当てられてなる映像信号により担当の表示手段を駆動する映像信号の処理ステップと、
前記映像信号に対応する音声信号を、前記モニタ装置のそれぞれの位置に応じた周波数帯域フィルタを用いて、前記モニタ装置の各系統に分類して、自装置に分類された音声信号により担当の前記音声出力手段を駆動する音声信号の処理ステップと
を有し、
前記音声信号の処理ステップは、
前記音声信号を、声の成分を多く含む信号成分とそれ以外の信号成分とに分類して前記各系統の音声出力手段を駆動する、コンテンツ提供方法のプログラム。
【請求項１７】
表示手段及び音声出力手段を有してなる複数系統のモニタ装置により１系統の映像信号によるコンテンツを提供するコンテンツ提供システムに適用されて、前記モニタ装置にそれぞれ対応して設けられた演算処理手段に所定の処理手順を実行させることにより、担当の前記表示手段に前記映像信号による映像を表示するコンテンツ提供方法のプログラムであって、
前記処理手順は、
前記映像信号のうちで自装置に割り当てられてなる映像信号により担当の表示手段を駆動する映像信号の処理ステップと、
前記映像信号に対応する音声信号を、周波数の解析により、前記モニタ装置の位置に応じて、前記モニタ装置の各系統に分類して、自装置に分類された音声信号により担当の前記音声出力手段を駆動する音声信号の処理ステップと
を有し、
前記音声信号の処理ステップは、
前記音声信号を、効果音の信号成分と効果音以外の信号成分とに分類して前記各系統の音声出力手段を駆動する、コンテンツ提供方法のプログラム。
【請求項１８】
表示手段及び音声出力手段を有してなる複数系統のモニタ装置により１系統の映像信号によるコンテンツを提供するコンテンツ提供システムに適用されて、前記モニタ装置にそれぞれ対応して設けられた演算処理手段に所定の処理手順を実行させることにより、担当の前記表示手段に前記映像信号による映像を表示するコンテンツ提供方法のプログラムであって、
前記処理手順は、
前記映像信号のうちで自装置に割り当てられてなる映像信号により担当の表示手段を駆動する映像信号の処理ステップと、
前記映像信号に対応する音声信号を、解析による特徴量の検出により、前記モニタ装置の位置に応じて、前記モニタ装置の各系統に分類して、自装置に分類された音声信号により担当の前記音声出力手段を駆動する音声信号の処理ステップと
を有し、
前記音声信号の処理ステップは、
前記音声信号を、発声者に応じて分類して前記各系統の音声出力手段を駆動する、コンテンツ提供方法のプログラム。
【請求項１９】
表示手段及び音声出力手段を有してなる複数系統のモニタ装置により１系統の映像信号によるコンテンツを提供するコンテンツ提供システムに適用されて、前記モニタ装置にそれぞれ対応して設けられた演算処理手段に所定の処理手順を実行させることにより、担当の前記表示手段に前記映像信号による映像を表示するコンテンツ提供方法のプログラムを記録した記録媒体であって、
前記処理手順は、
前記映像信号のうちで自装置に割り当てられてなる映像信号により担当の表示手段を駆動する映像信号の処理ステップと、
前記映像信号に対応する音声信号を、前記モニタ装置のそれぞれの位置に応じた周波数帯域フィルタを用いて、前記モニタ装置の各系統に分類して、自装置に分類された音声信号により担当の前記音声出力手段を駆動する音声信号の処理ステップと
を有し、
前記音声信号の処理ステップは、
前記音声信号を、声の成分を多く含む信号成分とそれ以外の信号成分とに分類して前記各系統の音声出力手段を駆動する、コンテンツ提供方法のプログラム。
【請求項２０】
表示手段及び音声出力手段を有してなる複数系統のモニタ装置により１系統の映像信号によるコンテンツを提供するコンテンツ提供システムに適用されて、前記モニタ装置にそれぞれ対応して設けられた演算処理手段に所定の処理手順を実行させることにより、担当の前記表示手段に前記映像信号による映像を表示するコンテンツ提供方法のプログラムを記録した記録媒体であって、
前記処理手順は、
前記映像信号のうちで自装置に割り当てられてなる映像信号により担当の表示手段を駆動する映像信号の処理ステップと、
前記映像信号に対応する音声信号を、周波数の解析により、前記モニタ装置の位置に応じて、前記モニタ装置の各系統に分類して、自装置に分類された音声信号により担当の前記音声出力手段を駆動する音声信号の処理ステップと
を有し、
前記音声信号の処理ステップは、
前記音声信号を、効果音の信号成分と効果音以外の信号成分とに分類して前記各系統の音声出力手段を駆動する、コンテンツ提供方法のプログラム。
【請求項２１】
表示手段及び音声出力手段を有してなる複数系統のモニタ装置により１系統の映像信号によるコンテンツを提供するコンテンツ提供システムに適用されて、前記モニタ装置にそれぞれ対応して設けられた演算処理手段に所定の処理手順を実行させることにより、担当の前記表示手段に前記映像信号による映像を表示するコンテンツ提供方法のプログラムを記録した記録媒体であって、
前記処理手順は、
前記映像信号のうちで自装置に割り当てられてなる映像信号により担当の表示手段を駆動する映像信号の処理ステップと、
前記映像信号に対応する音声信号を、解析による特徴量の検出により、前記モニタ装置の位置に応じて、前記モニタ装置の各系統に分類して、自装置に分類された音声信号により担当の前記音声出力手段を駆動する音声信号の処理ステップと
を有し、
前記音声信号の処理ステップは、
前記音声信号を、発声者に応じて分類して前記各系統の音声出力手段を駆動する、コンテンツ提供方法のプログラム。
【発明の詳細な説明】
【技術分野】
【０００１】
本発明は、コンテンツ提供方法、コンテンツ提供方法のプログラム、コンテンツ提供方法のプログラムを記録した記録媒体及びコンテンツ提供装置に関し、例えばテレビジョン放送による番組の視聴に適用することができる。本発明は、１系統の映像信号によるコンテンツを複数のモニタ装置により表示するようにして、このコンテンツに係る音声信号を分類してこれらモニタ装置より出力することにより、１系統の映像信号によるコンテンツを複数台のモニタ装置により視聴する場合に、このような複数台のモニタ装置に設けられたスピーカを有効に利用して、このような番組視聴の形態に適応した音場を提供する。
【背景技術】
【０００２】
従来、テレビジョン放送等により提供されるコンテンツにあっては、主に一台のモニタ装置により映像信号及び音声信号を再生してユーザーに提供するようになされている。これに対してこのようなコンテンツに関して、オーディオ信号にあっては、表示手段と別体に設けらてたスピーカを用いて音場を形成することにより、臨場感を向上する方法が種々に提案されるようになされており、例えば特開２００１−６９５９７号公報には、１系統のオーディオ信号を複数の信号成分に分離して処理することにより臨場感を向上する方法が提案されるようになされ、特開２００３−４４０８３号公報には、周波数帯域を基準にした音声認識による分析により音声信号を複数系統に分離して処理する方法が提案されるようになされている。
【０００３】
ところで複数台のモニタ装置を使用すれば、テレビジョン放送等により提供される１系統による映像信号をこれら複数台のモニタ装置により同時に視聴したり、またこれら複数台のモニタ装置による大画面と小画面とで表示を切り換えて視聴することができ、種々に番組を楽しむことができると考えられる。また図１４に示すように、奥行き方向に、異なる方向にこれら複数台のモニタ装置を配置して、遠近感等を知覚しながら番組を視聴することができ、その分、臨場感を向上できると考えられる。すなわち図１５に側方から見た状態を示すように、この図１４に示す例では、それぞれ視聴者により表示画面を見て取ることができるように、モニタ装置ＴＶ１、ＴＶ２、ＴＶ３を奥行き方向に順次配置し、またモニタ装置ＴＶ２にあっては、視聴者より見て他のモニタ装置ＴＶ１、ＴＶ３とは異なる方向に配置した例である。
【０００４】
しかしてこれら複数台のモニタ装置ＴＶ１、ＴＶ３により１つの番組を表示する場合にあって、図１６に示すように、単にこれらモニタ装置ＴＶ１、ＴＶ３を横方向に並べて配置した場合にあっては、これらモニタ装置ＴＶ１、ＴＶ３の表示画面に同時に目の焦点が合ってしまう。これ対して図１７に示すように、これらモニタ装置ＴＶ１、ＴＶ３を奥行き方向に順次配置した場合ににあっては、何れか１つのモニタ装置の表示画面にのみ、目の焦点が合い、他のモニタ装置による表示画面については、焦点が合わないようになる。これによりこの場合、各モニタ装置ＴＶ１、ＴＶ３の表示画面を目視する際の、目の焦点の変化による遠近感により、さらには両目を用いた立体視による遠近感により、番組視聴の臨場感を向上することができる。
【０００５】
また異なる方向に配置したモニタ装置ＴＶ２、又は手前に配置したモニタ装置ＴＶ１には、例えば料理番組で一時的に提供されるレシピ等の画像を取り込んで静止画により表示することにより、この場合、レシピを確認しながら料理番組を視聴することができる。
【０００６】
しかしてこのように１つのコンテンツを複数台のモニタ装置により視聴する場合にあっては、このような複数台のモニタ装置に設けられたスピーカを有効に利用して、このような番組視聴の形態に適応した音場を提供することが望まれる。
【特許文献１】特開２００１−６９５９７号公報
【特許文献２】特開２００３−４４０８３号公報
【発明の開示】
【発明が解決しようとする課題】
【０００７】
本発明は以上の点を考慮してなされたもので、１系統の映像信号によるコンテンツを複数台のモニタ装置により視聴する場合に、このような複数台のモニタ装置に設けられたスピーカを有効に利用して、このような番組視聴の形態に適応した音場を提供することができるコンテンツ提供方法、コンテンツ提供方法のプログラム、コンテンツ提供方法のプログラムを記録した記録媒体及びコンテンツ提供装置を提案しようとするものである。
【課題を解決するための手段】
【０００８】
上記課題を解決するために、本発明のある観点によれば、表示手段及び音声出力手段をそれぞれ保持してなる複数のモニタ装置により１系統の映像信号によるコンテンツを提供するコンテンツ提供方法であって、前記映像信号により複数の表示手段を駆動する映像信号の処理ステップと、前記映像信号に対応する音声信号を、前記モニタ装置のそれぞれの位置に応じた周波数帯域フィルタを用いて、前記モニタ装置の各系統に分類して、前記各系統の音声出力手段を駆動する音声信号の処理ステップとを有し、前記音声信号の処理ステップは、前記音声信号を、声の成分を多く含む信号成分とそれ以外の信号成分とに分類して前記各系統の音声出力手段を駆動する、コンテンツ提供方法が提供される。
また、上記課題を解決するために、本発明の別の観点によれば、表示手段及び音声出力手段をそれぞれ保持してなる複数のモニタ装置により１系統の映像信号によるコンテンツを提供するコンテンツ提供方法であって、前記映像信号により複数の表示手段を駆動する映像信号の処理ステップと、前記映像信号に対応する音声信号を、周波数の解析により、前記モニタ装置の位置に応じて、前記モニタ装置の各系統に分類して、前記各系統の音声出力手段を駆動する音声信号の処理ステップとを有し、前記音声信号の処理ステップは、前記音声信号を、効果音の信号成分と効果音以外の信号成分とに分類して前記各系統の音声出力手段を駆動する、コンテンツ提供方法が提供される。
また、上記課題を解決するために、本発明の別の観点によれば、表示手段及び音声出力手段をそれぞれ保持してなる複数のモニタ装置により１系統の映像信号によるコンテンツを提供するコンテンツ提供方法であって、前記映像信号により複数の表示手段を駆動する映像信号の処理ステップと、前記映像信号に対応する音声信号を、解析による特徴量の検出により、前記モニタ装置の位置に応じて、前記モニタ装置の各系統に分類して、前記各系統の音声出力手段を駆動する音声信号の処理ステップとを有し、前記音声信号の処理ステップは、前記音声信号を、発声者に応じて分類して前記各系統の音声出力手段を駆動する、コンテンツ提供方法が提供される。
また、上記課題を解決するために、本発明の別の観点によれば、演算処理手段に所定の処理手順を実行させることにより、表示手段及び音声出力手段をそれぞれ保持してなる複数のモニタ装置により１系統の映像信号によるコンテンツを提供するコンテンツ提供方法のプログラムであって、前記処理手順は、前記映像信号により複数の表示手段を駆動する映像信号の処理ステップと、前記映像信号に対応する音声信号を、前記モニタ装置のそれぞれの位置に応じた周波数帯域フィルタを用いて、前記モニタ装置の各系統に分類して、前記各系統の音声出力手段を駆動する音声信号の処理ステップとを有し、前記音声信号の処理ステップは、前記音声信号を、声の成分を多く含む信号成分とそれ以外の信号成分とに分類して前記各系統の音声出力手段を駆動する、コンテンツ提供方法のプログラムが提供される。
また、上記課題を解決するために、本発明の別の観点によれば、演算処理手段に所定の処理手順を実行させることにより、表示手段及び音声出力手段をそれぞれ保持してなる複数のモニタ装置により１系統の映像信号によるコンテンツを提供するコンテンツ提供方法のプログラムであって、前記処理手順は、前記映像信号により複数の表示手段を駆動する映像信号の処理ステップと、前記映像信号に対応する音声信号を、周波数の解析により、前記モニタ装置の位置に応じて、前記モニタ装置の各系統に分類して、前記各系統の音声出力手段を駆動する音声信号の処理ステップとを有し、前記音声信号の処理ステップは、前記音声信号を、効果音の信号成分と効果音以外の信号成分とに分類して前記各系統の音声出力手段を駆動する、コンテンツ提供方法のプログラムが提供される。
また、上記課題を解決するために、本発明の別の観点によれば、演算処理手段に所定の処理手順を実行させることにより、表示手段及び音声出力手段をそれぞれ保持してなる複数のモニタ装置により１系統の映像信号によるコンテンツを提供するコンテンツ提供方法のプログラムであって、前記処理手順は、前記映像信号により複数の表示手段を駆動する映像信号の処理ステップと、前記映像信号に対応する音声信号を、解析による特徴量の検出により、前記モニタ装置の位置に応じて、前記モニタ装置の各系統に分類して、前記各系統の音声出力手段を駆動する音声信号の処理ステップとを有し、前記音声信号の処理ステップは、前記音声信号を、発声者に応じて分類して前記各系統の音声出力手段を駆動する、コンテンツ提供方法のプログラムが提供される。
また、上記課題を解決するために、本発明の別の観点によれば、演算処理手段に所定の処理手順を実行させることにより、表示手段及び音声出力手段をそれぞれ保持してなる複数のモニタ装置により１系統の映像信号によるコンテンツを提供するコンテンツ提供方法のプログラムを記録した記録媒体であって、前記処理手順は、前記映像信号により複数の表示手段を駆動する映像信号の処理ステップと、前記映像信号に対応する音声信号を、前記モニタ装置のそれぞれの位置に応じた周波数帯域フィルタを用いて、前記モニタ装置の各系統に分類して、前記各系統の音声出力手段を駆動する音声信号の処理ステップとを有し、前記音声信号の処理ステップは、前記音声信号を、声の成分を多く含む信号成分とそれ以外の信号成分とに分類して前記各系統の音声出力手段を駆動する、コンテンツ提供方法のプログラムを記録した記録媒体が提供される。
また、上記課題を解決するために、本発明の別の観点によれば、演算処理手段に所定の処理手順を実行させることにより、表示手段及び音声出力手段をそれぞれ保持してなる複数のモニタ装置により１系統の映像信号によるコンテンツを提供するコンテンツ提供方法のプログラムを記録した記録媒体であって、前記処理手順は、前記映像信号により複数の表示手段を駆動する映像信号の処理ステップと、前記映像信号に対応する音声信号を、周波数の解析により、前記モニタ装置の位置に応じて、前記モニタ装置の各系統に分類して、前記各系統の音声出力手段を駆動する音声信号の処理ステップとを有し、前記音声信号の処理ステップは、前記音声信号を、効果音の信号成分と効果音以外の信号成分とに分類して前記各系統の音声出力手段を駆動する、コンテンツ提供方法のプログラムを記録した記録媒体が提供される。
また、上記課題を解決するために、本発明の別の観点によれば、演算処理手段に所定の処理手順を実行させることにより、表示手段及び音声出力手段をそれぞれ保持してなる複数のモニタ装置により１系統の映像信号によるコンテンツを提供するコンテンツ提供方法のプログラムを記録した記録媒体であって、前記処理手順は、前記映像信号により複数の表示手段を駆動する映像信号の処理ステップと、前記映像信号に対応する音声信号を、解析による特徴量の検出により、前記モニタ装置の位置に応じて、前記モニタ装置の各系統に分類して、前記各系統の音声出力手段を駆動する音声信号の処理ステップとを有し、前記音声信号の処理ステップは、前記音声信号を、発声者に応じて分類して前記各系統の音声出力手段を駆動する、コンテンツ提供方法のプログラムを記録した記録媒体が提供される。
また、上記課題を解決するために、本発明の別の観点によれば、表示手段及び音声出力手段をそれぞれ保持してなる複数のモニタ装置により１系統の映像信号によるコンテンツを提供するコンテンツ提供装置であって、前記映像信号により複数の表示手段を駆動する映像信号処理手段と、前記映像信号に対応する音声信号を、前記モニタ装置のそれぞれの位置に応じた周波数帯域フィルタを用いて、前記モニタ装置の各系統に分類して、前記各系統の音声出力手段を駆動する音声信号処理手段とを備え、前記音声信号処理手段は、前記音声信号を、声の成分を多く含む信号成分とそれ以外の信号成分とに分類して前記各系統の音声出力手段を駆動する、コンテンツ提供装置が提供される。
また、上記課題を解決するために、本発明の別の観点によれば、表示手段及び音声出力手段をそれぞれ保持してなる複数のモニタ装置により１系統の映像信号によるコンテンツを提供するコンテンツ提供装置であって、前記映像信号により複数の表示手段を駆動する映像信号処理手段と、前記映像信号に対応する音声信号を、周波数の解析により、前記モニタ装置の位置に応じて、前記モニタ装置の各系統に分類して、前記各系統の音声出力手段を駆動する音声信号処理手段とを備え、前記音声信号処理手段は、前記音声信号を、効果音の信号成分と効果音以外の信号成分とに分類して前記各系統の音声出力手段を駆動する、コンテンツ提供装置が提供される。
また、上記課題を解決するために、本発明の別の観点によれば、表示手段及び音声出力手段をそれぞれ保持してなる複数のモニタ装置により１系統の映像信号によるコンテンツを提供するコンテンツ提供装置であって、前記映像信号により複数の表示手段を駆動する映像信号処理手段と、前記映像信号に対応する音声信号を、解析による特徴量の検出により、前記モニタ装置の位置に応じて、前記モニタ装置の各系統に分類して、前記各系統の音声出力手段を駆動する音声信号処理手段とを備え、前記音声信号処理手段は、前記音声信号を、発声者に応じて分類して前記各系統の音声出力手段を駆動する、コンテンツ提供装置が提供される。
また、上記課題を解決するために、本発明の別の観点によれば、表示手段及び音声出力手段をそれぞれ保持してなる複数のモニタ装置に設けられて、前記複数のモニタ装置に共通に入力される１系統の映像信号によるコンテンツを提供するコンテンツ提供装置であって、前記映像信号のうちで自装置に割り当てられてなる映像信号により担当の表示手段を駆動する映像信号処理手段と、前記映像信号に対応する音声信号を、前記モニタ装置のそれぞれの位置に応じた周波数帯域フィルタを用いて、前記モニタ装置の各系統に分類して、自装置に分類された音声信号により担当の前記音声出力手段を駆動する音声信号処理手段とを備え、前記音声信号処理手段は、前記音声信号を、声の成分を多く含む信号成分とそれ以外の信号成分とに分類して前記各系統の音声出力手段を駆動する、コンテンツ提供装置が提供される。
また、上記課題を解決するために、本発明の別の観点によれば、表示手段及び音声出力手段をそれぞれ保持してなる複数のモニタ装置に設けられて、前記複数のモニタ装置に共通に入力される１系統の映像信号によるコンテンツを提供するコンテンツ提供装置であって、前記映像信号のうちで自装置に割り当てられてなる映像信号により担当の表示手段を駆動する映像信号処理手段と、前記映像信号に対応する音声信号を、周波数の解析により、前記モニタ装置の位置に応じて、前記モニタ装置の各系統に分類して、自装置に分類された音声信号により担当の前記音声出力手段を駆動する音声信号処理手段とを備え、前記音声信号処理手段は、前記音声信号を、効果音の信号成分と効果音以外の信号成分とに分類して前記各系統の音声出力手段を駆動する、コンテンツ提供装置が提供される。
また、上記課題を解決するために、本発明の別の観点によれば、表示手段及び音声出力手段をそれぞれ保持してなる複数のモニタ装置に設けられて、前記複数のモニタ装置に共通に入力される１系統の映像信号によるコンテンツを提供するコンテンツ提供装置であって、前記映像信号のうちで自装置に割り当てられてなる映像信号により担当の表示手段を駆動する映像信号処理手段と、前記映像信号に対応する音声信号を、解析による特徴量の検出により、前記モニタ装置の位置に応じて、前記モニタ装置の各系統に分類して、自装置に分類された音声信号により担当の前記音声出力手段を駆動する音声信号処理手段とを備え、前記音声信号処理手段は、前記音声信号を、発声者に応じて分類して前記各系統の音声出力手段を駆動する、コンテンツ提供装置が提供される。
また、上記課題を解決するために、本発明の別の観点によれば、表示手段及び音声出力手段を有してなる複数系統のモニタ装置により１系統の映像信号によるコンテンツを提供するコンテンツ提供システムに適用されて、前記モニタ装置にそれぞれ対応して設けられた演算処理手段に所定の処理手順を実行させることにより、担当の前記表示手段に前記映像信号による映像を表示するコンテンツ提供方法のプログラムであって、前記処理手順は、前記映像信号のうちで自装置に割り当てられてなる映像信号により担当の表示手段を駆動する映像信号の処理ステップと、前記映像信号に対応する音声信号を、前記モニタ装置のそれぞれの位置に応じた周波数帯域フィルタを用いて、前記モニタ装置の各系統に分類して、自装置に分類された音声信号により担当の前記音声出力手段を駆動する音声信号の処理ステップとを有し、前記音声信号の処理ステップは、前記音声信号を、声の成分を多く含む信号成分とそれ以外の信号成分とに分類して前記各系統の音声出力手段を駆動する、コンテンツ提供方法のプログラムが提供される。
また、上記課題を解決するために、本発明の別の観点によれば、表示手段及び音声出力手段を有してなる複数系統のモニタ装置により１系統の映像信号によるコンテンツを提供するコンテンツ提供システムに適用されて、前記モニタ装置にそれぞれ対応して設けられた演算処理手段に所定の処理手順を実行させることにより、担当の前記表示手段に前記映像信号による映像を表示するコンテンツ提供方法のプログラムであって、前記処理手順は、前記映像信号のうちで自装置に割り当てられてなる映像信号により担当の表示手段を駆動する映像信号の処理ステップと、前記映像信号に対応する音声信号を、周波数の解析により、前記モニタ装置の位置に応じて、前記モニタ装置の各系統に分類して、自装置に分類された音声信号により担当の前記音声出力手段を駆動する音声信号の処理ステップとを有し、前記音声信号の処理ステップは、前記音声信号を、効果音の信号成分と効果音以外の信号成分とに分類して前記各系統の音声出力手段を駆動する、コンテンツ提供方法のプログラムが提供される。
また、上記課題を解決するために、本発明の別の観点によれば、表示手段及び音声出力手段を有してなる複数系統のモニタ装置により１系統の映像信号によるコンテンツを提供するコンテンツ提供システムに適用されて、前記モニタ装置にそれぞれ対応して設けられた演算処理手段に所定の処理手順を実行させることにより、担当の前記表示手段に前記映像信号による映像を表示するコンテンツ提供方法のプログラムであって、前記処理手順は、前記映像信号のうちで自装置に割り当てられてなる映像信号により担当の表示手段を駆動する映像信号の処理ステップと、前記映像信号に対応する音声信号を、解析による特徴量の検出により、前記モニタ装置の位置に応じて、前記モニタ装置の各系統に分類して、自装置に分類された音声信号により担当の前記音声出力手段を駆動する音声信号の処理ステップとを有し、前記音声信号の処理ステップは、前記音声信号を、発声者に応じて分類して前記各系統の音声出力手段を駆動する、コンテンツ提供方法のプログラムが提供される。
また、上記課題を解決するために、本発明の別の観点によれば、表示手段及び音声出力手段を有してなる複数系統のモニタ装置により１系統の映像信号によるコンテンツを提供するコンテンツ提供システムに適用されて、前記モニタ装置にそれぞれ対応して設けられた演算処理手段に所定の処理手順を実行させることにより、担当の前記表示手段に前記映像信号による映像を表示するコンテンツ提供方法のプログラムを記録した記録媒体であって、前記処理手順は、前記映像信号のうちで自装置に割り当てられてなる映像信号により担当の表示手段を駆動する映像信号の処理ステップと、前記映像信号に対応する音声信号を、前記モニタ装置のそれぞれの位置に応じた周波数帯域フィルタを用いて、前記モニタ装置の各系統に分類して、自装置に分類された音声信号により担当の前記音声出力手段を駆動する音声信号の処理ステップとを有し、前記音声信号の処理ステップは、前記音声信号を、声の成分を多く含む信号成分とそれ以外の信号成分とに分類して前記各系統の音声出力手段を駆動する、コンテンツ提供方法のプログラムが提供される。
また、上記課題を解決するために、本発明の別の観点によれば、表示手段及び音声出力手段を有してなる複数系統のモニタ装置により１系統の映像信号によるコンテンツを提供するコンテンツ提供システムに適用されて、前記モニタ装置にそれぞれ対応して設けられた演算処理手段に所定の処理手順を実行させることにより、担当の前記表示手段に前記映像信号による映像を表示するコンテンツ提供方法のプログラムを記録した記録媒体であって、前記処理手順は、前記映像信号のうちで自装置に割り当てられてなる映像信号により担当の表示手段を駆動する映像信号の処理ステップと、前記映像信号に対応する音声信号を、周波数の解析により、前記モニタ装置の位置に応じて、前記モニタ装置の各系統に分類して、自装置に分類された音声信号により担当の前記音声出力手段を駆動する音声信号の処理ステップとを有し、前記音声信号の処理ステップは、前記音声信号を、効果音の信号成分と効果音以外の信号成分とに分類して前記各系統の音声出力手段を駆動する、コンテンツ提供方法のプログラムが提供される。
また、上記課題を解決するために、本発明の別の観点によれば、表示手段及び音声出力手段を有してなる複数系統のモニタ装置により１系統の映像信号によるコンテンツを提供するコンテンツ提供システムに適用されて、前記モニタ装置にそれぞれ対応して設けられた演算処理手段に所定の処理手順を実行させることにより、担当の前記表示手段に前記映像信号による映像を表示するコンテンツ提供方法のプログラムを記録した記録媒体であって、前記処理手順は、前記映像信号のうちで自装置に割り当てられてなる映像信号により担当の表示手段を駆動する映像信号の処理ステップと、前記映像信号に対応する音声信号を、解析による特徴量の検出により、前記モニタ装置の位置に応じて、前記モニタ装置の各系統に分類して、自装置に分類された音声信号により担当の前記音声出力手段を駆動する音声信号の処理ステップとを有し、前記音声信号の処理ステップは、前記音声信号を、発声者に応じて分類して前記各系統の音声出力手段を駆動する、コンテンツ提供方法のプログラムが提供される。
【００１５】
本発明により、表示手段及び音声出力手段をそれぞれ保持してなる複数のモニタ装置により１系統の映像信号によるコンテンツを提供するコンテンツ提供方法に適用して、映像信号により複数の表示手段を駆動する映像信号の処理ステップと、映像信号に対応する音声信号を、モニタ装置の位置に応じて、モニタ装置の各系統に分類して、各系統の音声出力手段を駆動する音声信号の処理ステップとを備えるようにすれば、モニタ装置に設けられている音声出力手段により、これら複数のモニタ装置で表示する映像に対応して音声信号を出力することができ、これにより１系統の映像信号によるコンテンツを複数台のモニタ装置により視聴する場合に、このような複数台のモニタ装置に設けられたスピーカを有効に利用して、このような番組視聴の形態に適応した音場を提供することができる。
【００１６】
本発明によれば、１系統の映像信号によるコンテンツを複数台のモニタ装置により視聴する場合に、このような複数台のモニタ装置に設けられたスピーカを有効に利用して、このような番組視聴の形態に適応した音場を提供することができるコンテンツ提供方法のプログラム、コンテンツ提供方法のプログラムを記録した記録媒体、コンテンツ提供装置を提供することができる。
【００１７】
本発明により、表示手段及び音声出力手段をそれぞれ保持してなる複数のモニタ装置に設けられて、複数のモニタ装置に共通に入力される１系統の映像信号によるコンテンツを提供するコンテンツ提供装置に適用して、映像信号のうちで自装置に割り当てられてなる映像信号により担当の表示手段を駆動する映像信号処理手段と、映像信号に対応する音声信号を、モニタ装置の位置に応じて、モニタ装置の各系統に分類して、自装置に分類された音声信号により担当の音声出力手段を駆動する音声信号処理手段とを備えるようにすれば、これら複数のモニタ装置を適宜配置して、モニタ装置に設けられている音声出力手段により、これら複数のモニタ装置で表示する映像に対応して音声信号を出力することができ、これにより１系統の映像信号によるコンテンツを複数台のモニタ装置により視聴する場合に、このような複数台のモニタ装置に設けられたスピーカを有効に利用して、このような番組視聴の形態に適応した音場を提供することができる。
【００１８】
本発明によれば、１系統の映像信号によるコンテンツを複数台のモニタ装置により視聴する場合に、このような複数台のモニタ装置に設けられたスピーカを有効に利用して、このような番組視聴の形態に適応した音場を提供することができるコンテンツ提供方法のプログラム、コンテンツ提供方法のプログラムを記録した記録媒体を提供することができる。
【発明の効果】
【００１９】
本発明によれば、１系統の映像信号によるコンテンツを複数台のモニタ装置により視聴する場合に、このような複数台のモニタ装置に設けられたスピーカを有効に利用して、このような番組視聴の形態に適応した音場を提供することができる。
【発明を実施するための最良の形態】
【００２０】
以下、適宜図面を参照しながら本発明の実施例を詳述する。
【実施例１】
【００２１】
（１）実施例の構成
図１は、本発明の実施例１に係る番組視聴システムを示すブロック図である。この番組視聴システム１は、処理に必要な各種のデータを相互に送受可能に複数台のモニタ装置２Ａ、２Ｂを接続し、ソース部３から出力される映像信号Ｓ１、音声信号Ｓ２をこれら複数台のモニタ装置２Ａ、２Ｂに共通に入力して形成される。なおここでソース部３は、例えばテレビジョンチュナー、ＤＶＤ（Digital Versatile Disk）プレイヤー、ビデオテープレコーダ等により構成される。これによりこの番組視聴システム１では、これら複数台のモニタ装置２Ａ、２Ｂを介して、ソース部３により提供される各種のコンテンツをユーザーに提供するようになされている。
【００２２】
ここでこの番組視聴システム１は、図２（Ａ）及び（Ｂ）に上方及び側方より見て示すように、各モニタ装置２Ａ、２Ｂの表示画面をそれぞれ視聴者により見て取ることができるように、視聴者より奥行き方向にこれら複数台のモニタ装置２Ａ、２Ｂが順次配置される。これにより番組視聴システム１では、奥側のモニタ装置２Ｂに表示した各種の映像を手前側のモニタ装置２Ａにより詳細に確認できるようになされている。
【００２３】
このため各モニタ装置２Ａ、２Ｂは、それぞれ液晶モニタ装置等による表示部４Ａ、４Ｂ、音声信号を再生するスピーカ５Ａ、５Ｂ、映像信号Ｓ１、音声信号Ｓ２により表示部４Ａ、４Ｂ、スピーカ５Ａ、５Ｂを駆動する駆動部６Ａ、６Ｂにより形成されるようになされている。なおこれらモニタ装置２Ａ、２Ｂは、ほぼ同一に構成されることにより、以下においては、主にモニタ装置２Ａの構成について詳述し、重複した説明は省略する。
【００２４】
ここでモニタ装置２Ａにおいて、駆動部６Ａは、図示しない記録装置に記録された処理プログラムを演算処理部により実行することにより、この演算処理部と演算処理部に関連する周辺構成とにより、各機能ブロックが構成される。なおこの一連の処理に係る処理プログラムにおいては、このモニタ装置２Ａにプリインストールされて提供されるものの、このようなプリインストールによる提供に代えて、インターネット等のネットワークを介したダウンロードにより提供するようにしてもよく、さらには各種の記録媒体を介して提供するようにしてもよい。なおこのような記録媒体としては、例えばＣＤ−ＲＯＭ、ＤＶＤ等の光ディスク、フロッピーディスク等の磁気ディスク、駆動機構と一体構成による着脱可能なハードディスク装置、メモリカード等、種々の記録媒体を広く適用することができる。
【００２５】
すなわちこれらの機能ブロックにおいて、ＩＤ取得部７は、他の装置２Ｂとのデータ通信により、他の装置２Ｂ、自己の装置２Ａに割り当ててなるＩＤ番号を取得する。ここでＩＤ番号は、モニタ装置２Ａ、２Ｂの配列位置を示す番号であり、ユーザーによるモニタ装置２Ａ、２Ｂへの設定により、又はセンサを用いた図示しない位置検出手段の検出結果による自動設定により、各モニタ装置２Ａ、２Ｂに割り当てられるようになされている。これによりこの実施例では、自装置の配置位置、さらには必要に応じてシステム１を構成する装置の台数を検出できるようになされている。
【００２６】
映像信号処理部８は、順次入力される映像信号Ｓ１により表示部４Ａを駆動する。映像信号処理部８は、この映像信号Ｓ１による駆動において、ユーザーにより有意情報の自動抽出処理が指示されている場合、有意情報に係る映像を検出し、検出結果を繰り返し表示するように表示部４Ａを駆動する。なおここで有意情報とは、例えばスポーツ中継中にリプレイにより繰り返される映像のように、特に番組提供者が他の映像に比して重要と判断して送出する映像である。また映像信号処理部８は、ユーザーによるリモートコマンダーの操作により、ユーザーが静止画の表示を指示すると、現在入力されている映像信号Ｓ１による画像を静止画により表示する。
【００２７】
すなわち映像信号処理部８において、有意情報検出部９は、シーンチェンジ直後の画像列を一定時間の間保持し、この保持した画像列と順次入力される映像信号Ｓ１を構成する画像との間で比較結果を得ることにより、リプレイによる映像を検出する。また例えば地震情報等のスーパーインポーズを検出し、これらの検出を出力画像選択部１０に通知する。またリモートコマンダーによる遠隔制御信号を受信する受信部からの入力信号ＳＴにより、ユーザーが静止画の表示を指示すると、この指示を検出して出力画像選択部１０に通知する。
【００２８】
出力画像選択部１０は、順次入力される映像信号Ｓ１を、表示用のメモリを介して表示部４Ａのインターフェースに出力することにより、この映像信号Ｓ１による映像を表示部４Ａに表示する。また図示しない制御部の制御により、有意情報検出部９からの通知に従ってメモリに対する映像信号Ｓ１による記録を中止し、これにより映像信号Ｓ１による映像の表示部４Ａの表示に代えて、リプレイによる映像を繰り返し表示部４Ａに表示し、またスーパーインポーズが検出されてなる画像、ユーザーにより表示が指示された画像を静止画により表示部４Ａに表示する。
【００２９】
これに対して音声信号処理部１１は、映像信号Ｓ１に対応してなる音声信号Ｓ２から担当の音声信号を選択してスピーカ５Ａを駆動する。すなわち音声信号処理部１１において、音分離部１２は、周波数フィルタ１３の特性を切り換えて音声信号Ｓ２を処理することにより、音声と、音声以外の環境音、バックグランドミュージックとに音声信号Ｓ２を分離し、音声又は環境音、バックグランドミュージックによりスピーカ５Ａを駆動する。
なおこの場合に、視聴者までの距離を検出する距離検出部１４を音声信号処理部１１に設け、この距離検出部１４の距離検出結果に基づいて、周波数フィルタ１３の特性を可変し、これにより視聴者までの距離に応じてスピーカ５Ａから出力する音声等の周波数特性を切り替えるようにしてもよい。すなわち例えば一般に高音は距離により減衰が著しい。これにより視聴者までの距離が遠い場合には、視聴者までの距離が近い場合に比してより高音を大きな音量により出力する等により、より番組の視聴形態に適応した音場を形成することができる。なお距離検出部１４は、例えば超音波センサにより形成される。
【００３０】
しかして図３は、これら映像信号処理部８、音声信号処理部１１の各機能ブロックを構成する演算処理部の処理手順のうち、映像信号処理部８の出力画像選択部１０に係る処理手順を示すフローチャートである。演算処理部は、映像信号Ｓ１のフレーム周期でこの処理手順を実行する。すなわち演算処理部は、この処理手順を開始すると、ステップＳＰ１からステップＳＰ２に移り、自装置に割り当てられてなるＩＤ番号を取得する。また続くステップＳＰ３において、映像信号Ｓ１を１フレーム分取得することにより、映像信号Ｓ１に係る画像を取得し、続くステップＳＰ４において、ステップＳＰ２で取得したＩＤ番号により自装置が奥側に配置されているか否か判断する。なおここでこの実施例においては、奥側の装置に値１のＩＤ番号が割り当てられることにより、演算処理部は、このステップＳＰ４において、ＩＤ番号が値１か否か判断することにより、自装置が奥側に配置されているか否か判断する。
【００３１】
ここで肯定結果が得られると、演算処理部は、ステップＳＰ４からステップＳＰ５に移り、ここでステップＳＰ３で取得した映像信号Ｓ１による画像を画像出力用のメモリに記録する。また続くステップＳＰ６において、このメモリに記録した画像を表示部４Ａのインターフェースに出力した後、ステップＳＰ７に移ってこの処理手順を終了する。これによりこの実施例において、モニタ装置２Ａ、２Ｂは、奥側に配置されている場合には、順次入力される映像信号Ｓ１による映像を表示し続けるようになされている。
【００３２】
これに対してステップＳＰ４で否定結果が得えられると、演算処理部は、ステップＳＰ４からステップＳＰ８に移る。ここで演算処理部は、ユーザーにより有意情報の取得が指示されているか否か判断し、また有意情報の取得が指示されている場合には、有意情報の映像が検出されているか否か判断する。ここで肯定結果が得られると、演算処理部は、保持してなる有意情報に係る画像を画像出力用のメモリに記録した後、続くステップＳＰ６において、このメモリに記録した画像を表示部４Ａのインターフェースに出力し、ステップＳＰ７に移ってこの処理手順を終了する。
【００３３】
しかしてこれにより演算処理部は、ユーザーにより有意情報の取得が指示されている場合、この図３に示す映像信号に係る処理手順とは別に、順次入力される映像信号Ｓ１を監視して有意情報を有してなる映像信号をメモリに記録して保持するようになされ、この保持した映像信号に係る画像を順次ステップＳＰ９で画像出力用のメモリに記録することによりリプレイによる映像を繰り返し表示部４Ａに表示し、またスーパーインポーズが検出されてなる画像を表示するようになされている。
【００３４】
これによりこの実施例において、モニタ装置２Ａ、２Ｂは、手前側に配置されている場合には、ユーザーによる設定により、有意情報に係る映像を表示するようになされている。
【００３５】
これに対してステップＳＰ８で否定結果が得られると、演算処理部は、ステップＳＰ８からステップＳＰ１０に移り、リモートコマンダーの操作によりユーザーが静止画の表示を指示したか否か判断する。ここで肯定結果が得られると、演算処理部は、ステップＳＰ１１に移り、ステップＳＰ２で取得した映像信号Ｓ１による画像を画像出力用のメモリに記録した後、続くステップＳＰ６において、このメモリに記録した画像を表示部４Ａのインターフェースに出力し、ステップＳＰ７に移ってこの処理手順を終了する。
【００３６】
これに対してステップＳＰ１０で否定結果が得られると、演算処理部は、ステップＳＰ１０から直接ステップＳＰ６に移り、画像出力用のメモリに記録した画像を表示部４Ａのインターフェースに出力し、ステップＳＰ７に移ってこの処理手順を終了する。
【００３７】
これによりこの実施例において、モニタ装置２Ａ、２Ｂは、手前側に配置されている場合には、ユーザーの指示により、映像信号Ｓ１による画像を静止画により表示し続けるようになされている。
【００３８】
これに対して図４は、音分離部１２に係る演算処理部の処理手順を示すフローチャートである。演算処理部は、一定の時間間隔によりこの処理手順を開始してステップＳＰ２１からステップＳＰ２２に移る。ここで演算処理部は、自装置に割り当てられてなるＩＤ番号を取得し、続くステップＳＰ２３において、音声信号Ｓ２をこの処理手順の繰り返し周期の分、取得する。また続くステップＳＰ２４において、ステップＳＰ２２で取得したＩＤ番号により自装置が奥側に配置されているか否か、すなわちＩＤ番号が値１か否か判断する。
【００３９】
ここで肯定結果が得られると、演算処理部は、ステップＳＰ２４からステップＳＰ２５に移り、環境音、バックグランドミュージックを抽出する特性によるフィルタの特性をメモリから取り込んだ後、続くステップＳＰ２６において、このフィルタの特性により、ステップＳＰ２３で取得した音声信号Ｓ２の周波数特性を補正する。また続くステップＳＰ２７において、この周波数特性の補正結果をスピーカ５Ａへのインターフェースに出力した後、ステップＳＰ２８に移ってこの処理手順を終了する。
【００４０】
これに対してステップＳＰ２４で否定結果が得られると、ステップＳＰ２４からステップＳＰ２９に移り、音声を抽出する特性によるフィルタの特性をメモリから取り込んだ後、続くステップＳＰ２６において、このフィルタの特性により、ステップＳＰ２３で取得した音声信号Ｓ２の周波数特性を補正する。また続くステップＳＰ２７において、この周波数特性の補正結果をスピーカ５Ａへのインターフェースに出力した後、ステップＳＰ２８に移ってこの処理手順を終了する。
【００４１】
これによりこの実施例において、図５に示すように、手前側に配置したモニタ装置２Ａより音声を出力し、奥側に配置したモニタ装置２Ｂにより音声以外の環境音、バックグランドミュージックを主に出力するようになされている。しかしてこのように手前側より音声を出力するようにすれば、視聴者においては、高域の減衰が少なくなり、また間接音（反射音）の成分が少なくなることにより、明瞭に音声を視聴することができる。これに対して奥側より音声以外の環境音、バックグランドミュージックを出力すれば、間接音（反射音）の成分が大きくなり、また距離感も知覚し得ることにより、これら環境音、バックグランドミュージックを十分な広がり、奥行きにより視聴することができる。これらによりこの実施例においては、聴き心地を良くすることができ、１つの番組を複数台のモニタ装置により視聴する場合に、このような複数台のモニタ装置に設けられたスピーカを有効に利用して、このような番組視聴の形態に適応した音場を提供するようになされている。
【００４２】
（２）実施例の動作
以上の構成において、この番組視聴システム１では（図１）、ソース部３からテレビジョン放送等の番組に係る映像信号Ｓ１、音声信号Ｓ２が出力され、これら映像信号Ｓ１、音声信号Ｓ２がモニタ装置２Ａ、２Ｂに入力される。このうち奥側に配置されているモニタ装置２Ｂにおいて、映像信号Ｓ１は、映像信号処理部８により常時、表示部４Ａの表示に供され、これによりこの奥側のモニタ装置２Ｂからは、常時、映像信号Ｓ１による映像が表示される（図２及び図３）。
【００４３】
これに対して手前側のモニタ装置２Ａにおいては、視聴者が有意情報に係る映像の表示を指示している場合、テロップ等の表示に係る有意情報による映像が提供されると、この映像が表示部４Ａで繰り返し表示される。これによりこの番組視聴システム１では、例えばスポーツ中継中にリプレイにより繰り返される映像のように、特に番組提供者が他の映像に比して重要と判断して送出する映像にあっては、奥側に配置したモニタ装置２Ｂにより順次入力される映像信号Ｓ１による映像を表示した状態で、手前に配置したモニタ装置２Ａにより詳細に、かつ繰り返し視聴できるようになされ、その分、番組視聴におけるユーザーの使い勝手を向上するようになされている。
【００４４】
またユーザーによるリモートコマンダーの操作により、ユーザーが静止画の表示を指示した場合には、現在入力されている映像信号Ｓ１の画像が静止画により表示される。これによりこの番組視聴システム１では、例えば料理番組のレシピのように、映像信号Ｓ１により一時的に提供された画像を手前側のモニタ装置２Ａにより表示し続けた状態で、奥側に配置したモニタ装置２Ｂにより順次入力される映像信号Ｓ１による映像を視聴できるようになされ、これによっても番組視聴におけるユーザーの使い勝手を向上するようになされている。
【００４５】
これに対して音声信号Ｓ２においては、奥側のモニタ装置２Ｂにおいて、音声の周波数帯域が抑圧されてスピーカ５Ｂの駆動に供され、手前側のモニタ装置２Ａにおいて、これとは逆に音声の周波数帯域が選択されてスピーカ５Ａの駆動に供される（図４）。
【００４６】
これにより番組視聴システム１では、番組に係る音声にあっては、手前側に配置したモニタ装置２Ａのスピーカ５Ａより主に再生して、明瞭な音声が視聴者に提供されるのに対し、音声以外の環境音、バックグランドミュージックについては、奥側に配置したモニタ装置２Ｂのスピーカ５Ｂにより十分な広がり、奥行きにより視聴者に提供することができ、これによりこれら複数のモニタ装置を有効に利用して聴き心地を良くすることができる。これによりこの実施例においては、１つの番組を複数台のモニタ装置により視聴する場合に、このような複数台のモニタ装置に設けられたスピーカを有効に利用して、このような番組視聴の形態に適応した音場を提供することができるようになされている。
【００４７】
（３）実施例の効果
以上の構成によれば、１系統の映像信号によるコンテンツを複数のモニタ装置により表示するようにして、このコンテンツに係る音声信号を分類してこれらモニタ装置より出力することにより、１系統の映像信号によるコンテンツを複数台のモニタ装置により視聴する場合に、このような複数台のモニタ装置に設けられたスピーカを有効に利用して、このような番組視聴の形態に適応した音場を提供することができる。
【００４８】
すなわちこのような音声信号の分類が音声と、音声以外とであることにより、明瞭に音声を視聴でき、また十分な広がり、奥行きにより環境音等を提供することができ、これにより聴き心地の良い音場を形成することができる。
【実施例２】
【００４９】
図６は、図１との対比により本発明の実施例２に係る番組視聴システムを示すブロック図である。この番組視聴システム２１において、図１について上述した番組視聴システム１と同一の構成は、対応する符号を付して示し、重複した説明は省略する。
【００５０】
この番組視聴システム２１は、ソース部３から出力される映像信号及び音声信号をモニタ装置２２Ａ、２２Ｂに共通に入力する。ここで図７（Ａ）及び（Ｂ）にそれぞれ上方及び側方より見て示すように、これらモニタ装置２２Ａ、２２Ｂは、視聴者側より奥行き方向に順次配置され、奥側のモニタ装置２２Ｂは、視聴者のほぼ正面に配置されるのに対し、手前側のモニタ装置２２Ａは、視聴者の側方側に配置されるようになされる。これにより番組視聴システム２１では、モニタ装置２２Ａ、２２Ｂがユーザーより見て異なる方向に配置されるようになされている。
【００５１】
モニタ装置２２Ａ、２２Ｂは、駆動部２６Ａ、２６Ｂにより表示部４Ａ、４Ｂ、スピーカ５Ａ、５Ｂを駆動するようになされ、これらの駆動系のうち表示部４Ａ、４Ｂの駆動に係る映像信号処理部８においては、図１について上述したモニタ装置２Ａ、２Ｂの映像信号処理部８と同一に構成されるようになされている。これに対して音声信号処理部３１は、音声信号と効果音とを分離してスピーカ５Ａ、５Ｂを駆動するようになされている。すなわち音声信号処理部３１において、効果音検出部３２は、音声信号Ｓ２より効果音を検出して出力選択部３３に通知し、出力選択部３３は、この効果音検出部３２の検出結果に基づいて音声信号Ｓ２によりスピーカ５Ａを駆動する。
【００５２】
図８は、この音声信号処理部３１の処理に係る演算処理部の処理手順を示すフローチャートである。演算処理部は、この処理手順を一定の時間間隔で実行し、この処理手順を開始すると、ステップＳＰ３１からステップＳＰ３２に移る。ここで演算処理部は、自装置に割り当てられてなるＩＤ番号を取得し、続くステップＳＰ３３において、音声信号Ｓ２をこの処理手順の繰り返し周期の分、取得する。
【００５３】
演算処理部は、続くステップＳＰ３４において、ステップＳＰ３３で取得した音声信号Ｓ２の解析により、この音声信号Ｓ２より効果音を検出する。ここで効果音にあっては、例えば爆発音等のように急激に周波数が変化する場合が多い。これに対して音声にあっては、このような急激な周波数の変化を伴わない場合が多い。これによりこの実施例において、演算処理部は、音声信号Ｓ１の周波数の解析により効果音を検出する。
【００５４】
続いて演算処理部は、ステップＳＰ３５に移り、効果音が検出されたか否か判断し、ここで否定結果が得られると、ステップＳＰ３５からステップＳＰ３６に移り、ＩＤ番号が値１か否か判断することにより、自装置が奥側に配置されているか否か判断する。ここで否定結果が得られると、演算処理部は、ステップＳＰ３６からステップＳＰ３７に移り、この場合ステップＳＰ３３で取り込んだ音声信号を出力することなく、この処理手順を終了する。
【００５５】
これに対してステップＳＰ３６で肯定結果が得られると、演算処理部は、ステップＳＰ３６からステップＳＰ３８に移り、ステップＳＰ３３で取り込んだ音声信号をスピーカから出力するように設定した後、ステップＳＰ３７に移ってこの処理手順を終了する。これによりこの番組視聴システム２１では、図９に示すように、音声については、奥側の視聴者の正面に配置したモニタ装置２Ｂより出力するようになされている。
【００５６】
これに対してステップＳＰ３３で取り込んだ音声信号Ｓ２が効果音の場合、演算処理部は、ステップＳＰ３５で肯定結果が得られることにより、ステップＳＰ３５からステップＳＰ３９に移り、ここでＩＤ番号が値１か否か判断することにより、自装置が奥側に配置されているか否か判断する。ここで肯定結果が得られると、演算処理部は、ステップＳＰ３９からステップＳＰ３７に移り、この場合ステップＳＰ３３で取り込んだ音声信号を出力することなく、この処理手順を終了する。
【００５７】
これに対してステップＳＰ３９で否定結果が得られると、演算処理部は、ステップＳＰ３９からステップＳＰ３８に移り、ステップＳＰ３３で取り込んだ音声信号をスピーカから出力するように設定した後、ステップＳＰ３７に移ってこの処理手順を終了する。これによりこの番組視聴システム２１では、図９に示すように、効果音については、視聴者の正面以外の方向に配置したモニタ装置２Ａより出力するようになされている。
【００５８】
しかして図１０（Ａ）に示すように、視聴者の正面に映像を表示し、この映像の音声を映像の表示している方向より提供する場合にあっては、自然に音声を視聴することができる。これに対して図１０（Ｂ）に示すように、映像とは異なる方向より音声を提供する場合、不自然な状況を形成してユーザーの注意を著しく喚起することができる。
【００５９】
これによりこの実施の形態では、効果音とそれ以外の音との分類によりモニタ装置のスピーカを駆動して、例えば臨時ニュースの開始時におけるチャイム等を効率良くユーザーに通知するようにして、１つの番組を複数台のモニタ装置により視聴する場合に、このような複数台のモニタ装置に設けられたスピーカを有効に利用して、このような番組視聴の形態に適応した音場を提供するようになされている。
【００６０】
この実施例によれば、効果音とそれ以外と音との分類によりモニタ装置のスピーカを駆動するようにしても、１系統の映像信号によるコンテンツを複数台のモニタ装置により視聴する場合に、このような複数台のモニタ装置に設けられたスピーカを有効に利用して、このような番組視聴の形態に適応した音場を提供することができる。
【００６１】
またこのような音声の分類を効果音とそれ以外の音との分類によりモニタ装置のスピーカを駆動することにより、ユーザーの注意を効率良く喚起することができる。
【実施例３】
【００６２】
図１１は、図１との対比により本発明の実施例３に係る番組視聴システムを示すブロック図である。この番組視聴システム４１において、図１について上述した番組視聴システム１と同一の構成は、対応する符号を付して示し、重複した説明は省略する。
【００６３】
この番組視聴システム４１は、ソース部３から出力される映像信号及び音声信号をモニタ装置４２Ａ、４２Ｂに共通に入力する。これらモニタ装置２２Ａ、２２Ｂは、それぞれ実施例１に係るモニタ装置２Ａ、２Ｂと同一に配置される。
【００６４】
モニタ装置４２Ａ、４２Ｂは、駆動部４６Ａ、４６Ｂにより表示部４Ａ、４Ｂ、スピーカ５Ａ、５Ｂを駆動するようになされ、これらの駆動系のうち表示部４Ａ、４Ｂの駆動に係る映像信号処理部８においては、図１について上述したモニタ装置２Ａ、２Ｂの映像信号処理部８と同一に構成されるようになされている。これに対して音声信号処理部４１は、音声の発声者により音声を分離してスピーカ５Ａ、５Ｂを駆動するようになされている。すなわち音声信号処理部４１において、特徴量取得部４２は、発声者の分類に供する判断基準である特徴量を音声信号Ｓ２より検出し、特徴量保持部４３は、ユーザーの指示によりこのモニタ装置にユーザーが登録を指示した発声者の特徴量を記録して保持する。特徴量比較部４４は、特徴量取得部４２で検出した特徴量と、特徴量保持部４３に保持した特徴量とを比較して比較結果を出力し、出力選択部４５は、この比較結果に基づいて音声信号Ｓ２によりスピーカ５Ａを駆動する。
【００６５】
図１２は、この音声信号処理部４１の処理に係る演算処理部の処理手順を示すフローチャートである。演算処理部は、この処理手順を一定の時間間隔で実行し、この処理手順を開始すると、ステップＳＰ４１からステップＳＰ４２に移る。ここで演算処理部は、自装置に割り当てられてなるＩＤ番号を取得し、続くステップＳＰ４３において、音声信号Ｓ２をこの処理手順の繰り返し周期の分、取得する。
【００６６】
演算処理部は、続くステップＳＰ４４において、ステップＳＰ３３で取得した音声信号Ｓ２の解析により、この音声信号Ｓ２より特徴量を検出する。ここで音声にあっては、発声者により基本周波数（いわゆるピッチ周波数）が異なることにより、この実施例においては、この基本周波数により特徴量を検出する。なおこのような基本周波数による特徴量の検出に代えて、音声信号Ｓ２より特定周波数帯域の信号成分を抽出し、この抽出した信号成分のエンベロープにより特徴量を検出するようにしてもよい。
【００６７】
このように特徴量を検出すると、演算処理部は、続くステップＳＰ４５において、リモートコマンダーの操作により現在の音声について、ユーザーが手前側の装置４２Ａから出力を指示しているか否か判断する。ここで肯定結果が得られると、演算処理部は、ステップＳＰ４５からステップＳＰ４６に移り、ステップＳＰ４４で検出した特徴量を登録した後、ステップＳＰ４６からステップＳＰ４７に移る。これに対してステップＳＰ４５で否定結果が得られると、演算処理部は、ステップＳＰ４５から直接ステップＳＰ４７に移る。
【００６８】
このステップＳＰ４７において、演算処理部は、ステップＳＰ４３で取得した音声信号Ｓ２に係る特徴量と、登録済の特徴量とを比較し、続くステップＳＰ４８において、登録済の特徴量と一致するものが存在するか否か判断する。これにより演算処理部は、この音声信号Ｓ２がユーザーにより手前側の装置４２Ａからの出力を指示された発声者によるものか否か判断し、ここで肯定結果が得られると、ステップＳＰ４８からステップＳＰ４９に移る。ここで演算処理部は、ＩＤ番号が値１か否か判断することにより、自装置が奥側に配置されているか否か判断する。ここで肯定結果が得られると、演算処理部は、ステップＳＰ４９からステップＳＰ５１に移り、この場合ステップＳＰ４３で取り込んだ音声信号を出力することなく、この処理手順を終了する。
【００６９】
これに対してステップＳＰ４９で否定結果が得られると、この場合、自装置が手前側に配置されていることにより、演算処理部は、ステップＳＰ４９からステップＳＰ５１に移り、ステップＳＰ４３で取り込んだ音声信号をスピーカから出力するように設定した後、ステップＳＰ５０に移ってこの処理手順を終了する。
【００７０】
またステップＳＰ４８で否定結果が得られると、演算処理部は、ステップＳＰ４８からステップＳＰ５２に移り、ＩＤ番号が値１否か判断することにより、自装置が奥側に配置されているか否か判断する。ここで否定結果が得られると、演算処理部は、ステップＳＰ５２からステップＳＰ５０に移り、この場合ステップＳＰ４３で取り込んだ音声信号を出力することなく、この処理手順を終了する。
【００７１】
これに対してステップＳＰ５２で肯定結果が得られると、演算処理部は、ステップＳＰ５２からステップＳＰ５１に移り、ステップＳＰ４３で取り込んだ音声信号をスピーカから出力するように設定した後、ステップＳＰ５０に移ってこの処理手順を終了する。
【００７２】
これによりこの番組視聴システム４１では、図１３に示すように、ユーザーが指示したモニタ装置より各発声者の音声を出力するように、発声者により音声信号を切り換えて出力するようになされ、これにより高い番組没入感を確保することができるようになされている。
【００７３】
この実施例によれば、発声者により音声を分類してモニタ装置のスピーカを駆動するようにしても、１系統の映像信号によるコンテンツを複数台のモニタ装置により視聴する場合に、このような複数台のモニタ装置に設けられたスピーカを有効に利用して、このような番組視聴の形態に適応した音場を提供することができる。
【００７４】
またこのような音声の分類が発声者による分類であることにより、高い番組没入感を確保することができる。
【実施例４】
【００７５】
なお上述の実施例においては、有意情報に係る映像、さらにはユーザーの指示により静止画を表示する場合について述べたが、本発明はこれに限らず、例えばシーン毎にモニタ装置を切り換えて動画及び静止画により複数のモニタ装置で番組を視聴する場合にも広く適用することができる。なおこの場合には、シーンチェンジの検出によりモニタ装置の各系統に映像信号を振り分けるようにして、過去に振り分けた映像との類似の程度により振り分け先を判定することが考えられる。またこのように映像を振り分けて、現在入力されている映像信号に係る映像を表示していない系統においては、最後に各系統に振り分けた映像を静止画により表示することが考えられる。
【００７６】
また上述の実施例３においては、２台のモニタ装置によりシステムを構成するようにして、それぞれ各装置で手前側の装置に係る発生者の特徴量を記録して音声信号を判定する場合について述べたが、本発明はこれに限らず、このような少なくとも一台の装置への特徴量の記録に代えて、各装置でそれぞれ担当の音声に係る特徴量を記録して音声信号を判定するようにしてもよい。このようにすれば３台以上のモニタ装置によりシステムを構成する場合、さらにはシステムを形成するモニタ装置の台数を種々に変更する場合等にあっても、これらのシステム構成に対応して適切に音声を振り分けることができる。
【００７７】
また上述の実施例においては、２台のモニタ装置によりシステムを構成する場合について述べたが、本発明はこれに限らず、複数台のモニタ装置によりシステムを構成する場合に広く適用することができる。
【００７８】
また上述の実施例においては、各モニタ装置に一体に設けた駆動部により各モニタ装置の表示手段及び音声出力手段を駆動する場合について述べたが、本発明はこれに限らず、モニタ装置と別体に駆動部を設けるようにしてもよく、またこのようにモニタ装置と別体に駆動部を設ける場合にあっては、各モニタ装置に係る駆動部を一体化するようにしてもよい。
【産業上の利用可能性】
【００７９】
本発明は、例えばテレビジョン放送による番組の視聴に適用することができる。
【図面の簡単な説明】
【００８０】
【図１】本発明の実施例１に係る番組視聴システムを示すブロック図である。
【図２】図１の番組視聴システムにおけるモニタ装置の配置の説明に供する略線図である。
【図３】図１の番組視聴システムにおける演算処理部の処理手順を示すフローチャートである。
【図４】図１の番組視聴システムにおける演算処理部の音声信号の処理に係る処理手順を示すフローチャートである。
【図５】図１の番組視聴システムにおける音声信号の分類の説明に供する模式図である。
【図６】本発明の実施例２に係る番組視聴システムを示すブロック図である。
【図７】図６の番組視聴システムにおけるモニタ装置の配置の説明に供する略線図である。
【図８】図６の番組視聴システムにおける演算処理部の音声信号の処理に係る処理手順を示すフローチャートである。
【図９】図６の番組視聴システムにおける音声信号の分類の説明に供する模式図である。
【図１０】図６の番組視聴システムにおける音声信号の出力の説明に供する模式図である。
【図１１】本発明の実施例３に係る番組視聴システムを示すブロック図である。
【図１２】図１１の番組視聴システムにおける演算処理部の音声信号の処理に係る処理手順を示すフローチャートである。
【図１３】図１１の番組視聴システムにおける音声信号の分類の説明に供する模式図である。
【図１４】複数のモニタ装置による番組視聴の説明に供する略線図である。
【図１５】図１４の構成を側方より見て示す模略線である。
【図１６】モニタ装置を並べて配置した場合を示す略線図である。
【図１７】遠近感の説明に供する略線図である。
【符号の説明】
【００８１】
１、２１、４２……番組視聴システム、２Ａ、２Ｂ、２２Ａ、２２Ｂ、４２Ａ、４２Ｂ、ＴＶ１〜ＴＶ３……モニタ装置、３……ソース部、４Ａ、４Ｂ……表示部、５Ａ、５Ｂ……スピーカ、６Ａ、６Ｂ……駆動部、７……ＩＤ取得部、８……映像信号処理回路、１１、３１、５１……音声信号処理回路
【図１】
0004661058.tif 000002
【図２】
0004661058.tif 000003
【図３】
0004661058.tif 000004
【図４】
0004661058.tif 000005
【図５】
0004661058.tif 000006
【図６】
0004661058.tif 000007
【図７】
0004661058.tif 000008
【図８】
0004661058.tif 000009
【図９】
0004661058.tif 000010
【図１０】
0004661058.tif 000011
【図１１】
0004661058.tif 000012
【図１２】
0004661058.tif 000013
【図１３】
0004661058.tif 000014
【図１４】
0004661058.tif 000015
【図１５】
0004661058.tif 000016
【図１６】
0004661058.tif 000017
【図１７】
0004661058.tif 000018